(57)【要約】  より簡素で確実に取付先となるバッテリケースの側壁の上端側に固定可能な密封構造を提供する。  密封構造１００は、バッテリケース１０の側壁１１の上端１１ａを跨ぐ形状を有し、頂面側にバッテリケース１０の開口側を覆うカバー２０と密接するガスケット１１０と、バッテリケース１０の側壁１１に固定される固定壁１２０であって、カバー２０の外縁に有する係止部２１の下端２１ａとガスケット１１０の下端に当接する載置面１２０ａを有する固定壁１２０と、を有する。
2020162123.tif 000002
【特許請求の範囲】
【請求項１】
バッテリケースの側壁の上端を跨ぐ形状を有し、頂面側に前記バッテリケースの開口側を覆うカバーと密接するガスケットと、
前記バッテリケースの前記側壁に固定される固定壁であって、前記カバーの外縁に有する係止部の下端と前記ガスケットの下端に当接する載置面を有する固定壁と、
を有する密封構造。
【請求項２】
前記ガスケットは、
頂面側に前記カバーと密接するシール突起を有するガスケット本体と、
前記ガスケット本体の底面側に設けられ、前記バッテリケースの前記側壁の前記上端に係止される係止溝と、
を有する、請求項１に記載の密封構造。
【請求項３】
前記ガスケットは、
前記ガスケット本体の外側から突出する外側凸部と、
前記ガスケット本体の内側から突出する内側凸部と、
を有する、請求項１又は２に記載の密封構造。
【請求項４】
前記外側凸部は、前記載置面に当接する、
請求項３に記載の密封構造。
【請求項５】
前記固定壁は、溶接により前記側壁に固定される溶接壁である、
請求項１乃至４の何れかに記載の密封構造。
【請求項６】
前記ガスケットは、ゴム硬度７０度以下のゴム状弾性材料の成形品である、
請求項１乃至５の何れかに記載の密封構造。
【請求項７】
前記ガスケットは、複数の前記ガスケット本体を有し、
前記密封構造は、複数の前記ガスケット本体を連結する連結部を更に有する、
請求項２乃至６の何れかに記載の密封構造。
【請求項８】
前記ガスケット本体は、直線状である、
請求項２乃至７の何れかに記載の密封構造。
【発明の詳細な説明】
【技術分野】
【０００１】
本発明は、密封構造に関する。
【背景技術】
【０００２】
電気モビリティ（ｅ-Mobility）化の進展に伴い、電気自動車等の車両向けのバッテリを収容するバッテリケースとバッテリケースを覆うカバーとの間をシールするバッテリケース用ガスケットの開発が進められている。バッテリケース用ガスケットは、バッテリケースの大きさに応じてガスケット周長が長く、平面形状が大きい。そのため、プレス成形での対応が困難なため、押出成形での対応が必要とされる。【０００３】
押出成形品は、周上で同一形状である。そのため、ガスケットを固定するためには、成形品の追加工や、ガスケットが固定される部材にガスケット固定用の溝等を別途設ける必要がある。ガスケットを固定する関連技術として、例えば、特開２０１２−１２２５３６号公報には、成形品にボルト挿入用の貫通孔が設けられるガスケットが開示されている。また、特開２０１７−１７２７５６号公報には、ガスケットが固定される部材に環状溝が設けられる密封構造が開示されている。
【発明の概要】
【発明が解決しようとする課題】
【０００４】
ガスケットの成形品に対して貫通孔等を設ける追加工は、手間とコストを要する。また、ガスケットを装着する部材がプレス成形される場合には、ガスケット装着溝を設けるスペースが十分に確保されないことや、ガスケットを装着する部材に溝等を設ける追加工が別途必要となることがある。そのため、ガスケットをバッテリケース等の取付先の部材に固定するために、より簡素で確実に固定可能な密封構造が求められる。【０００５】
本発明は、より簡素で確実に取付先に固定可能な密封構造を提供することを目的とする。
【課題を解決するための手段】
【０００６】
本発明の密封構造は、
バッテリケースの側壁の上端を跨ぐ形状を有し、頂面側に前記バッテリケースの開口側を覆うカバーと密接するガスケットと、
前記バッテリケースの前記側壁に固定される固定壁であって、前記カバーの外縁に有する係止部の下端と前記ガスケットの下端に当接する載置面を有する固定壁と、
を有する。
【発明の効果】
【０００７】
本発明の密封構造によれば、より簡素で確実に取付先に固定できる。
【図面の簡単な説明】
【０００８】
【図１】実施形態の密封構造の全体の構成を示す平面図
【図２】実施形態の密封構造の要部の構成を示す斜視図
【図３】実施形態の密封構造の要部の構成を示す断面図
【発明を実施するための形態】
【０００９】
以下、密封構造の好適な実施形態について詳細に説明する。なお、以下に説明する本実施形態は、特許請求の範囲に記載された本発明の内容を限定するものではなく、本実施形態で説明される構成の全てが本発明の解決手段として必須であるとは限らない。
【００１０】
まず、本実施形態の密封構造の概略構成について、図１及び図２を参照して説明する。図１は、実施形態の密封構造がバッテリケースに取り付けられた状態を示す平面図である。図２は、実施形態の密封構造の連結部を含む部分斜視図を示す。
【００１１】
密封構造１００は、例えば、バッテリケース１０とバッテリケース１０を覆うカバー２０（図３参照）との間をシールするバッテリケース用ガスケットである。バッテリケース１０は、主に電気自動車、燃料電池車、ハイブリッド車等の車両に使用される車両用バッテリを収容する。本実施形態の密封構造１００は、図１に示すように、バッテリケース１０の開口側に設けられる。密封構造１００は、ガスケット１１０と、溶接壁１２０と、連結部１３０とを有する。
【００１２】
ガスケット１１０は、バッテリケース１０に固定される。ガスケット１１０は、バッテリケース１０とカバー２０（図３参照）との間の密閉性を確保する。ガスケット１１０は、ゴム硬度７０度以下のゴム状弾性材料を押出成形した成形品である。ゴム状弾性材料は、例えば、ゴム材料やゴム状弾性を有する合成樹脂材料等である。
【００１３】
本実施形態のガスケット１１０は、図１に示すように、ガスケット本体１１１がバッテリケース１０の開口側の各辺に沿うように配置される。ガスケット本体１１１は、直線状であり、全長に亙って同一断面形状に形成される。各ガスケット本体１１１の端部側は、連結部１３０に嵌合し、連結部１３０を介して連結する。連結部１３０は、ゴム等で形成される。これにより、ガスケット１１０は、矩形枠状となる。
【００１４】
本実施形態のガスケット１１０は、図１及び図２に示すように、バッテリケース１０の側壁１１の上端１１ａを跨ぐ形状を有する。ガスケット１１０は、非接着で側壁１１の上端１１ａに固定される。また、本実施形態のガスケット１１０は、シール突起１１０ａを有する。シール突起１１０ａは、バッテリケース１０の開口側を覆うカバー２０（図３参照）に密接する。シール突起１１０ａは、ガスケット本体１１１の頂面側の中心線に沿って延びる。本実施形態のガスケット１１０の構成の詳細については、後述する。
【００１５】
溶接壁１２０は、断面が矩形であり、鉄等の金属により形成される柱状部材である。溶接壁１２０は、バッテリケース１０の側壁１１の外側に固定される。溶接壁１２０は、ガスケット１１０の締め代とカバー２０の位置決めを制御する固定壁として機能する。本実施形態の溶接壁１２０は、ガスケット１１０の締め代の制御とカバー２０の位置決めのために、バッテリケース１０をカバー２０で覆った際に、カバー２０の外縁側に有する係止部２１の下端２１ａ（図３参照）と、ガスケット本体１１１の下端１１２ａ（図３参照）とに、載置面１２０ａが当接する位置に取り付けられる。本実施形態の溶接壁１２０は、バッテリケース１０の側壁１１の外側から溶接で固定されて取り付けられる。
【００１６】
次に、実施形態の密封構造の要部の構成について、図３を参照して説明する。図３は、実施形態の密封構造のガスケットと溶接壁がバッテリケースに取り付けられた状態におけるカバーとの位置関係を説明するために、ガスケット本体の長さ方向に対して垂直方向に切断した断面図である。
【００１７】
本実施形態の密封構造１００は、主にバッテリケース１０とカバー２０の上下方向のシール性を確保する。図３に示すように、ガスケット１１０は、取付先となるバッテリケース１０の側壁１１の上端１１ａを跨ぐ形状を有する。また、金属製の溶接壁１２０は、バッテリケース１０の側壁１１の上端１１ａの近傍に外側から溶接によって固定されて取り付けられる。すなわち、ガスケット１１０は、側壁１１の上端１１ａを内側から外側にかけて覆う形状を有する。
【００１８】
本実施形態のガスケット１１０は、図３に示すように、ガスケット本体１１１と、係止溝１１４と、を有する。ガスケット本体１１１は、頂面側にカバー２０と密接するシール突起１１０ａを有する。係止溝１１４は、ガスケット本体１１１の底面側に設けられ、側壁１１の上端１１ａに係止される。すなわち、本実施形態のガスケット１１０は、ガスケット本体１１１を押出成形する際に、内面側に係止溝１１４を有する成形品とする。これにより、側壁１１の上端１１ａに非接着で容易に固定できる。
【００１９】
ガスケット本体１１１の頂面側にシール突起１１０ａが形成され、シール突起１１０ａが弾性変形することによって、バッテリケース１０とカバー２０の天井面２０ａとの間の密封性を確保できる。係止溝１１４は、ガスケット本体１１１の底面側に設けられる。係止溝１１４の両縁側には、外側凸部１１２と、内側凸部１１３が設けられる。外側凸部１１２は、ガスケット本体１１１の一端側から下側に突出し、側壁１１の外側に係止される。内側凸部１１３は、ガスケット本体１１１の他端側から下側に突出し、側壁１１の内側に係止される。このように、実施形態のガスケット１１０は、ガスケット本体１１１の底面側に係止溝１１４を設けることによって、側壁１１の上端１１ａを内側から外側にかけて覆う形状となる。
【００２０】
また、本実施形態のガスケット１１０は、外側凸部１１２の下端１１２ａが溶接壁１２０の載置面１２０ａと当接する。このため、バッテリケース１０をカバー２０で覆い、シール突起１１０ａが押し潰された際に、溶接壁１２０が外側凸部１１２の下端１１２ａを係止する。これにより、シール突起１１０ａが過剰に変形してシール性能を損ねないようにしている。このように、実施形態では、溶接壁１２０がバッテリケース１０の側壁１１に溶接で固定されている。そのため、シール突起１１０ａが所望の締め代となるように制御される。
【００２１】
また、本実施形態の溶接壁１２０は、バッテリケース１０をカバー２０で覆った際に、載置面１２０ａがカバー２０の外縁側に有する係止部２１の下端２１ａと当接する位置に設けられる。すなわち、溶接壁１２０は、カバー２０の位置決めを容易にしながら、カバー２０の重量がガスケット１１０のシール突起１１０ａに過度に負荷されることによるシール性能の損失を抑制する。
【００２２】
ガスケット１１０のシール突起１１０ａによるシール性を確保するためには、シール突起１１０ａの締め代をシール突起１１０ａの高さ以下にすることが好ましい。このため、本実施形態では、ガスケット１１０の外側凸部１１２の下端１１２ａからガスケット本体１１１の頂面側までの高さと、カバー２０の係止部２１の高さが略同一となるように、ガスケット１１０の成形品を形成する。
【００２３】
なお、本実施形態の密封構造１００では、ガスケット本体１１１の頂面側にカバー２０の天井面２０ａに密接するシール突起１１０ａが設けられるが、ガスケット１１０のシール性能が確保できれば、ガスケット１１０は、他の態様でもよい。例えば、ガスケット本体１１１のカバー２０の天井面２０ａに密接する部位に、弾性変形が可能なシール部やシールリップ等のシール性能を奏する部材が設けられてもよい。その際に、ガスケット本体１１１の外側凸部１１２が弾性変形可能となるように、外側凸部１１２とカバー２０の係止部２１の内周面２１ｂとの間にスペースを有することが好ましい。
【００２４】
また、本実施形態の密封構造１００の固定壁は、溶接により固定される溶接壁１２０を有するが、バッテリケース１０の側壁１１に固定する手段は、溶接による固定に限定されない。例えば、バッテリケースと固定壁が双方とも硬質な樹脂等で構成される場合には、接着や熱圧着等の他の固定手段で固定壁をバッテリケースに取り付けてもよい。
【００２５】
このように、本実施形態の密封構造１００は、相手側板金（取付先）となるバッテリケース１０の側壁１１にガスケット１１０の係止溝１１４を係止させるように、直接跨がせる形状として固定する。また、ガスケット１１０の締め代とカバー２０の位置決めを制御するために、固定壁として溶接壁１２０をバッテリケース１０の側壁１１の外側から溶接で固定する。このため、押出成形されたガスケット１１０の成形品に固定用の貫通孔や突起等の追加工を施すことなく、取付先となるバッテリケース１０の側壁１１に簡素な構成で確実にガスケット１１０を固定できる。
【００２６】
また、本実施形態の密封構造１００は、ガスケット１１０が装着されるバッテリケース１０の側壁１１にプレス加工によるガスケット装着用の溝等を設けずに、ガスケット１１０を定位置に保持して、ガスケット１１０によるシール作用を発揮できる。このため、本実施形態の密封構造１００によれば、押出成形されたガスケット１１０の成形品に追加工を施す必要がなく、かつ、ガスケット１１０が装着される取付先となるバッテリケース１０の側壁１１にガスケット装着用の溝等を設ける必要がない。
【００２７】
また、バッテリケース１０とカバー２０の上下方向のシール性を簡素な構成及び手法で確実に確保できる。このため、本実施形態の密封構造１００を電気自動車等の車両向けのバッテリケース用ガスケットに適用して、バッテリケース用ガスケットの加工性及び装着性が向上するので、大きな工業的価値を有する。
【００２８】
なお、上記のように密封構造の一実施形態について詳細に説明したが、多くの変形が可能であることは、当業者には、容易に理解できるであろう。例えば、明細書又は図面において、少なくとも一度、より広義又は同義な異なる用語と共に記載された用語は、明細書又は図面のいかなる箇所においても、その異なる用語に置き換えることができる。また、密封構造の構成、動作も一実施形態で説明したものに限定されず、種々の変形実施が可能である。
【符号の説明】
【００２９】
１０  バッテリケース
１１  側壁
１１ａ  側壁の上端
２０  カバー
２０ａ  天井面
２１  係止部
２１ａ  係止部の下端
２１ｂ  係止部の内周面
１００  密封構造
１１０  ガスケット
１１０ａ  シール突起
１１１  ガスケット本体
１１２  外側凸部
１１２ａ  外側凸部の下端
１１３  内側凸部
１１４  係止溝
１２０  溶接壁（固定壁）
１２０ａ  溶接壁の載置面
１３０  連結部
【図１】
2020162123.tif 000003
【図２】
2020162123.tif 000004
【図３】
2020162123.tif 000005
【国際調査報告】
2020162123.tif 000006
2020162123.tif 000007
2020162123.tif 000008
2020162123.tif 000009